(57)【要約】      （修正有）【課題】鼻孔内の汚れを安全に掻き出し、取り除くことが可能な鼻掃除具を提供する。【解決手段】鼻掃除具１は、作用部１１と、把持部１２と、を有している。作用部１１は、同一平面上において略Ｕ字形状に湾曲したワイヤからなる。Ｕ字形状の端部側では、両ワイヤは略平行な直線部１１ａを形成しており、その端部は把持部１２に埋め込まれて固定されている。また、Ｕ字形状の湾曲側では、先端がＣ字形状に広がった拡張部１１ｂが形成されている。なお、作用部１１の大きさは、使用対象者の年齢等（新生児〜高齢者）によって異なり、その鼻孔内に容易に挿入することが可能な幅であればよい。【選択図】図１
0003191241.tif 000002
【実用新案登録請求の範囲】
【請求項１】
鼻腔に挿入される部位である作用部と、
前記作用部を一端に備える把持部と、を有し、
前記把持部は、少なくとも、前記作用部を備える側の一端に、被覆部を有する
する
ことを特徴とする鼻掃除具。
【請求項２】
請求項１に記載の鼻掃除具であって、
前記被覆部は、柔軟性を有する
ことを特徴とする鼻掃除具。
【請求項３】
請求項２に記載の鼻掃除具であって、
前記被覆部は、シリコンゴム、または、エラストマーで形成されている
ことを特徴とする鼻掃除具。
【請求項４】
請求項１から３の何れか一項に記載の鼻掃除具であって、
前記作用部は、
湾曲したワイヤからなる
ことを特徴とする鼻掃除具。
【請求項５】
請求項４に記載の鼻掃除具であって、
前記ワイヤを複数有する
ことを特徴とする鼻掃除具。
【請求項６】
請求項４に記載の鼻掃除具であって、
前記ワイヤは、先端が輪状である
ことを特徴とする鼻掃除具。
【請求項７】
請求項４に記載の鼻掃除具であって、
前記ワイヤにコイル状のワイヤを巻き付けた
ことを特徴とする鼻掃除具。
【請求項８】
請求項４から７の何れか一項に記載の鼻掃除具であって、
前記ワイヤは、把持部に近づく方向に湾曲している
ことを特徴とする鼻掃除具。
【請求項９】
請求項５に記載の鼻掃除具であって、
前記複数のワイヤは、それぞれ、把持部方向の位置がずれている
ことを特徴とする鼻掃除具。
【請求項１０】
請求項１から３の何れか一項に記載の鼻掃除具であって、
前記作用部は、爪状の部材である
ことを特徴とする鼻掃除具。
【請求項１１】
請求項１から９の何れか一項に記載の鼻掃除具であって、
前記把持部は屈曲する
ことを特徴とする鼻掃除具。
【考案の詳細な説明】
【技術分野】
【０００１】
本考案は、鼻水や鼻水が固まった、いわゆる、鼻糞を取る掃除器具に関するものである。
【背景技術】
【０００２】
新生児はあくびの行為以外に口で呼吸ができないと言われている。また、乳幼児もうまく鼻がかめないために、鼻づまりにより息苦しくなってしまう場合がある。しかしながら、新生児や乳幼児は予期せぬ動きをする上に、鼻の穴も小さく、大人が取り除くことは難しい。特に粘りのある鼻水は取りづらく、綿棒などで擦りすぎて鼻の粘膜を傷つけると、逆に悪化させてしまう原因にもなる。同様に、高齢者などのように勢い良く空気を鼻から出せない人も、自ら鼻水を排出できない場合がある。
【０００３】
そこで、鼻水を取るための道具が開発されている。例えば特許文献１には、鼻の穴に直接口をつけないで吸い取る小児の鼻水すすり用道具が開示されている。また、特許文献２には、鼻水を巻き取る方法で除去する鼻水巻き取り棒が開示されている。
【先行技術文献】
【特許文献】
【０００４】
【特許文献１】特許公開平１１−１０４２３１号
【特許文献２】特許公開２００６−１３６６９９号
【考案の概要】
【考案が解決しようとする課題】
【０００５】
しかしながら、特許文献１に記載のような口を使って鼻水を除去する方法では、鼻水が乾いて固まっていたり、粘度が高かったりする鼻水を吸い取るのは難しい。また、例え直接口を付けない場合でも、乳幼児の罹っている感染症に大人が感染する可能性もある。一方、特許文献２に記載されるような巻き取り棒でも、やはり固まっている鼻水を巻き取るのは難しい上、粘度が高い鼻水は途中で切れたりする可能性があった。
【０００６】
そこで本考案は、鼻孔内の汚れを安全に掻き出し、取り除くことが可能な鼻掃除具を提供することを目的とする。
【課題を解決するための手段】
【０００７】
上記課題を解決するために、本考案の鼻掃除具は、鼻腔に挿入される部位である作用部と、前記作用部を一端に備える把持部と、を有し、前記把持部は、少なくとも、前記作用部を備える側の一端に、被覆部を有していることを特徴とする。
【０００８】
上記鼻掃除具は、前記被覆部は、柔軟性を有していてもよい。
【０００９】
上記鼻掃除具は、前記被覆部が、シリコンゴム、または、エラストマーで形成されていてもよい。
【００１０】
上記鼻掃除具は、作用部が、湾曲したワイヤからなっていてもよい。
【００１１】
上記鼻掃除具は、前記ワイヤを複数有していてもよい。
【００１２】
上記鼻掃除具は、前記ワイヤの先端が輪状であってもよい。
【００１３】
上記鼻掃除具は、前記ワイヤにコイル状のワイヤを巻き付けてあってもよい。
い。
【００１４】
上記鼻掃除具は、前記ワイヤが把持部に近づく方向に湾曲していてもよい。
【００１５】
上記鼻掃除具は、前記複数のワイヤがそれぞれ、把持部方向の位置がずれていてもよい。
【００１６】
上記鼻掃除具は、前記把持部が前記作用部を備える側の一端に、被覆部を有していてもよい。
【００１７】
上記鼻掃除具は、前記把持部が屈曲してもよい。
【考案の効果】
【００１８】
本考案によれば、鼻孔内の汚れを安全に掻き出し、取り除くことが可能な鼻掃除具を提供することができる。
【図面の簡単な説明】
【００１９】
【図１】第一の実施形態に係る鼻掃除具１の平面図（Ａ）、及び（Ｂ）側面図である。
【図２】第二の実施形態に係る鼻掃除具２の一部断面の平面図（Ａ）（Ｃ）、及び側面図（Ｂ）である。
【図３】第三の実施形態に係る鼻掃除具３の斜視図（Ａ）、及び側面図（Ｂ）である。
【図４】第三の実施形態に係る鼻掃除具３の使用例を示す説明図である。
【図５】第四の実施形態に係る鼻掃除具４の一部断面の斜視図である。
【図６】第五の実施形態に係る鼻掃除具５の一部断面の斜視図である。
【図７】第六の実施形態に係る鼻掃除具６の一部断面の斜視図である。
【図８】爪形状の作用部７１を有する鼻掃除具の例である。
【考案を実施するための形態】
【００２０】
本考案の実施の形態について、以下、図に基づいて説明する。
【００２１】
＜第一の実施形態＞
図１（Ａ）に、第一の実施形態に係る鼻掃除具１の平面図、図１（Ｂ）に、その側面図を示す。鼻掃除具１は、作用部１１と、把持部１２と、を有している。
【００２２】
作用部１１は、同一平面上において略Ｕ字形状に湾曲したワイヤからなる。Ｕ字形状の端部側では、両ワイヤは略平行な直線部１１ａを形成しており、その端部は把持部１２に埋め込まれて固定されている。また、Ｕ字形状の湾曲側では、先端がＣ字形状に広がった拡張部１１ｂが形成されている。なお、作用部１１の大きさは、使用対象者の年齢等（新生児〜高齢者）によって異なり、その鼻孔内に容易に挿入することが可能な幅であればよい。例えば、直線部１１ａのワイヤ間の幅Ａを０〜４．０ｍｍ、拡張部１１ｂのワイヤ間の幅Ｂを２．５〜５．０ｍｍ程度とすることができる。また、直線部１１ａはワイヤが程良く曲がり無理な力が掛かった際にダンパーの役をすることで、鼻孔内に余分な圧力が掛かる事を防止できる。
【００２３】
このような作用部１１には、どのような材料を用いても良いが、例えば、直径０．３ｍｍから０．８ｍｍのステンレス線のワイヤを利用することができる。なお、ワイヤは金メッキなどで鍍金することにより、ワイヤ作用部の視認性を高め、金属アレルギーを防止することができる。また、ナイロン樹脂のワイヤや、金属の表面を被覆したワイヤを使用しても良い。なお、ワイヤは鼻孔内を傷つけないよう、円形断面であることが望ましい。
【００２４】
把持部１２は、一端に作用部１１のワイヤが埋め込まれた、棒状の部材である。このような構成は、例えば、把持部１２に作用部１１をインサート成型することで製造することができる。また、把持部１２に作用部１１を接着や溶着等により取り付けてもよい。把持部１２にもどのような材料を用いても良いが、例えば、合成樹脂や、金属等が挙げられる。
【００２５】
使用方法について説明する。使用者は、作用部１１を鼻の中に挿入して、主にワイヤの拡張部１１ｂに、汚れを引っ掛けて掻き取る。その際、Ｕ字形状のワイヤにより、粘性の高い鼻水や固まった鼻水も、違和感なく簡単に手前に掻き出すことが可能である。また、ワイヤの円形断面形状と先端の湾曲により、作用部１１が鼻孔内に触れても刺激が少なく、粘膜を傷つけることがない。また、鼻孔内に強く当たったとしても、ワイヤの撓りによって無理な力が吸収されるため、安全に使用することが可能である。このように本考案に係る鼻掃除具１は、鼻孔内の汚れを安全に違和感なく掻き出し、取り除くことが可能である。
【００２６】
＜第二の実施形態＞
次に、本考案の第二の実施形態について説明する。図２（Ａ）及び（Ｃ）に、第二の実施形態に係る鼻掃除具２の一部断面の平面図、図２（Ｂ）に、その側面図を示す。なお、上記実施形態と同様の構成には同様の符号を付し、その詳細な説明は省略する。
【００２７】
図２（Ａ）〜図２（Ｃ）に示すように、本実施形態に係る鼻掃除具２は、作用部２１が２つのワイヤ部材で形成されている点、及び把持部の一端を被覆する被覆部２３を有している点において、上記実施形態とは異なる。
【００２８】
鼻掃除具２の作用部２１は、上記実施形態の作用部１１と略同形状の外側ワイヤ２１１と、当該外側ワイヤ２１１の内側に形成される内側ワイヤ２１２の二重構造のワイヤからなる。なお、内側ワイヤ２１２もＵ字形状であるが、その湾曲側の先端に拡張部２１ｂを有していない点が、外側ワイヤ２１１とは異なる。また、外側ワイヤと内側ワイヤ２１２は、共に端部は把持部１２及び被覆部２３に埋め込まれて固定されているが、外側ワイヤはその拡張部２１ｂが把持部１２及び被覆部２３から露出している。なお、外側ワイヤ２１１及び内側ワイヤ２１２は、一本のワイヤを折り曲げて使用してもよい。
【００２９】
また、鼻掃除具２は、作用部２１が設けられている側の把持部１２の一端を覆う被覆部２３を、さらに有している。被覆部２３は、その径に段差が設けられた柔軟性のある低硬度（例えば、５°〜３０°）の部材である。具体的には、作用部１１側の細い先端部２３ｂと、先端部２３ｂよりも大きな径を有する膨大部２３ａで形成されている。
【００３０】
このような作用部２１及び先端部２３ｂは、鼻孔に挿入可能なように鼻孔よりも小さな幅及び径で構成され、膨大部２３ａは、鼻孔よりも大きな径で形成されている。この大きさは上記実施形態と同様に、使用対象者によって異なる。なお、膨大部２３ａは、必ずしも鼻孔よりも大きな径で形成されていなくともよい。段差があることで、鼻孔縁に当てて安定させ、また目視で挿入限度を意識できる。
【００３１】
また、被覆部２３は、長手方向に並ぶ２つの係止溝２３ｃを有している。被覆部２３は把持部１２上を摺動し、把持部１２の有する突起１２ａが係止溝２３ｃに嵌まり込むことで、固定されるようになっている。図２（Ａ）は、突起１２ａが作用部２１側の係止溝２３ｃに嵌まり込んだ状態を示し、図２（Ｂ）は、突起１２ａが他方側の係止溝２３ｃに嵌まり込んだ状態を示している。このように、被覆部２３の固定位置を変化させることで、作用部２１の露出部分の長さを使用対象者等に適したものに調節することができる。例えば、子供の場合には露出部分の長さを短く、高齢者の場合には長くすることで、状況に合わせた使用が可能となる。
【００３２】
なお、係止溝２３ｃおよび突起１２ａの数や位置は上記に限定されない。例えば、係止溝２３ｃをさらに作用部２１側に設ければ、完全に作用部２１を覆い、被覆部２３を保護キャップとして利用することもできる。
【００３３】
なお、被覆部２３は低硬度の材料であればどのようなものを用いても良く、例えばシリコンゴムやエラストマー等の合成樹脂が挙げられる。また、被覆部２３はキャップ状のものを把持部１２に被せても良いし、把持部１２の表面に重ね成型してもよい。
【００３４】
このような構成の鼻掃除具２では、鼻孔に作用部２１を挿入する際に、前鼻孔に被覆部２３の先端部２３ｂが触れ、これを傷つけることを防止できる。また、膨大部２３ａがそれより先の鼻孔内への侵入を抑止するため、必要以上に鼻孔の奥へと挿入されず、鼻孔の奥が傷つくのを防止することが可能である。
【００３５】
＜第三の実施形態＞
次に、本考案の第三の実施形態について説明する。図３（Ａ）は、第三の実施形態に係る鼻掃除具３の斜視図、図３（Ｂ）は、その側面図である。なお、上記実施形態と同様の構成には同様の符号を付し、その詳細な説明は省略する。
【００３６】
図３（Ａ）及び（Ｂ）に示すように、本実施形態に係る鼻掃除具３は、作用部３１が３重のワイヤからなる点、及び、被覆部３３が把持部１２全体を覆っている点において、上記実施形態とは異なる。
【００３７】
鼻掃除具３は、略Ｕ字形状の最も外側の第一のワイヤ３１１、第二のワイヤ３１２、内側の第三のワイヤ３１３の三つのワイヤからなる三重構造の作用部３１を有している。各ワイヤの端部はそれぞれ把持部１２に埋め込まれているが、露出部分は先端がそれぞれ把持部１２に近づく方向に湾曲し、側面から見た際に鉤爪形状となるようになっている。また、各ワイヤが内側に重なる事で洗浄性を向上させる事ができるが、必ずしも重なっていなければならない訳では無く、先端部の湾曲形状がそれぞれ異なっていても良い。
【００３８】
また、鼻掃除具３は、把持部１２を覆う被覆部３３を有している。被覆部３３は、全体的に丸みを帯びており、把持部１２を略均一に覆っている。また、被覆部３３は、その長手方向の両端に下側に膨らんだ膨大部３３ａ、及び３３ｂを有している。
【００３９】
このような鼻掃除具３の使用例を説明する。図４は、鼻掃除具３の使用例を示す説明図である。図４に示すように、使用者が鼻孔に作用部３１を挿入した際、膨大部３３ａが下側前鼻孔９１ａに当接し、膨大部３３ａとは逆側の表面３３ｃが上側前鼻孔９１ｂに当接する。これにより、使用者は前鼻孔付近で鼻掃除具３が止まり、作用部３１が奥に入りすぎるのを防ぐことができる。また、柔らかな被覆部３３の２点が前鼻孔に当接することで、軽く固定される感覚で膨大部３３ａの当接部を軸に把持部１２の角度を変え、作用部３１を傾けることができる。さらに膨大部３３ｂが滑り止めとなることで、持ち易くしっかりと握ることができる。これにより、安全かつ安定した使用が可能となる。
【００４０】
また、作用部３１が複数のワイヤからなるため、ワイヤとワイヤの間に汚れ９を容易に引っ掛けて掻き出すことが可能となる。もちろん、角度を変えて被覆部３３を掴むことで、鼻孔内の図示する以外の位置の汚れを取ることもできる。
【００４１】
＜第四の実施形態＞
次に、本考案の第四の実施形態について説明する。図５は、第四の実施形態に係る鼻掃除具４の一部断面の斜視図である。なお、上記実施形態と同様の構成には同様の符号を付し、その詳細な説明は省略する。
【００４２】
図５に示すように、本実施形態に係る鼻掃除具４は、把持部４２が長手方向に屈曲可能である点において、上記実施形態とは異なる。
【００４３】
本実施形態に係る鼻掃除具４の作用部４１は、三重構造のワイヤからなる点及び、把持部４２に近づく方向に湾曲している点は上記実施形態と同様であるが、各ワイヤ４１１，４１２，４１３は、側面から見た際にその鉤爪状の先端が、順に把持部４２に近づく方向に少しずつずれた位置となるように構成されている。
【００４４】
鼻掃除具４の把持部４２は、前部材４２ａと後部材４２ｂが回転中心である軸部材４２１によって接続されている。後部材４２ｂには、ギヤ状のバネ掛部４２２が形成されており、ここに前部材４２ａの有するコイルバネ４２３が引っ掛かり係止される。その結果、後部材４２ｂに対する前部材４２ａの回動は、一定の間隔毎にバネの剛力で制止されることになる。
【００４５】
このような構成により、鼻掃除具４は、使用者が後部材４２ｂに対して前部材４２ａを適度なクリック感をもって折り曲げることが可能となっている。これにより、使用者は指先で把持部４２を掴んだ際の作用部４１の角度を調整でき、鼻水を掻き出す際の微妙なワイヤの当たりを好みのものに変化させることができる。従って、手の捻り等が難しい高齢者等にも、安全で簡便な使用が可能となる。
【００４６】
＜第五の実施形態＞
次に、本考案の第五の実施形態について説明する。図６は、第五の実施形態に係る鼻掃除具５の一部断面の斜視図である。なお、上記実施形態と同様の構成には同様の符号を付し、その詳細な説明は省略する。
【００４７】
図６に示すように、本実施形態に係る鼻掃除具５は、作用部５１のワイヤの先端が輪状に形成されている点で、上記実施形態とは異なる。
【００４８】
本実施形態に係る鼻掃除具５の作用部５１は、先端が輪状となるように、二重に捻りを加えた形状を有している。また、その先端は把持部１２に近づく方向に湾曲しており、汚れを掻き出し易くなっている。なお、作用部５１には例えば、直径が０．４ｍｍ〜０．６ｍｍ程度のワイヤを用いることが望ましい。このような構成により、作用部５１の輪状部分に、汚れを引っ掛けて掻き出すことができる。なお、ここでは二重に巻いた形状としているが、さらに多くの回数巻いた形状としてもよい。また、直線部のワイヤ間の幅Ａを、曲線部のワイヤ間の幅Ｂより狭くするなどとしてもよい。
【００４９】
＜第六の実施形態＞
次に、本考案の第六の実施形態について説明する。図７は、第六の実施形態に係る鼻掃除具６の一部断面の斜視図である。なお、上記実施形態と同様の構成には同様の符号を付し、その詳細な説明は省略する。
【００５０】
図７に示すように、本実施形態に係る鼻掃除具６は、作用部６１のワイヤにコイル状のものを利用している点で、上記実施形態とは異なる。
【００５１】
本実施形態に係る鼻掃除具６の作用部６１は、中心ワイヤ６１１に、コイル状ワイヤ６１２を巻きつけた形状を有している。また、その先端は把持部１２に近づく方向に湾曲しており、汚れを掻き出し易くなっている。
【００５２】
なお、作用部６１の中心ワイヤ６１１にはコイル状ワイヤ６１２よりも太いものを使用するのが望ましい。例えば、中心ワイヤ６１１の直径を０．６ｍｍ、コイル状ワイヤの直径を０．２ｍｍ〜０．３ｍｍとした場合には、巻き外形はおよそ１．４ｍｍ程度となる。なお、コイル状ワイヤは必ずしも全周で同様の太さでなくともよい。例えば、作用部６１の先端付近では、コイル径が太くなるような構成としてもよい。また、中心ワイヤ６１１は必ずしも本実施形態の形状に限定されず、例えば、直線部のワイヤ間の幅Ａを、曲線部のワイヤ間の幅Ｂより狭くするなどとしてもよい。もちろん、他の実施形態に記載のワイヤのような形状としてもよい。
【００５３】
このような構成により、本実施形態に係る鼻掃除具６の作用部６１は、コイル部分で、細かな汚れを容易に掻き取り、巻き込んで掻き出すことが可能である。
【００５４】
以上、本考案の実施形態について説明した。本考案のような鼻掃除具によれば、新生児から高齢者まで、安全に、かつ簡便に鼻孔内の汚れを除去することができ、快適な生活が可能となる。なお、上記の実施形態は、本考案の要旨を例示することを意図し、本考案を限定するものではない。本考案の技術的思想の範囲内でさらなる様々な変形が可能である。
【００５５】
例えば、上記鼻掃除具４では、バネ掛部４２２とコイルバネ４２３を使用しているが、前部材４２ａと後部材４２ｂが一定の力で折り曲げ固定できる状態になれば、その方法は問わない。また、把持部４２は２つの部材に分かれているが、３個以上の部材がそれぞれ任意の方向に折れ曲がる構造や、連続的に曲がる部材を用いても良い。
【００５６】
また、作用部は上記のようなワイヤを用いた形状に限定されない。例えば図８に示すように、板状の部材を湾曲させて爪形状とした作用部７１を設けてもよい。このような形状の作用部７１によれば、広い面積を一度に掃除することができ、細かな汚れを取り逃すことがない。
【００５７】
さらに、把持部１２及び被覆部３３から作用部を抜き取り、付け替え可能としてもよい。
【符号の説明】
【００５８】
１，２，３，４，５，６：鼻掃除具、１１，２１，３１，４１，５１，６１，７１：作用部、１２，４２：把持部、２３，３３：被覆部、１１ａ：直線部、１１ｂ：拡張部、１２ａ：突起、２１１：外側ワイヤ、２１２：内側ワイヤ、２１ｂ：拡張部、２３ａ：膨大部、２３ｂ：先端部、２３ｃ：係止溝、３１１〜３１３，４１１〜４１３：ワイヤ、３３ａ：膨大部、３３ｂ：膨大部、３３ｃ：表面、４２１：軸部材、４２２：バネ掛部、４２３：コイルバネ、４２ａ：前部材、４２ｂ：後部材、６１１：中心ワイヤ、６１２：コイル状ワイヤ。
【図１】
0003191241.tif 000003
【図２】
0003191241.tif 000004
【図３】
0003191241.tif 000005
【図４】
0003191241.tif 000006
【図５】
0003191241.tif 000007
【図６】
0003191241.tif 000008
【図７】
0003191241.tif 000009
【図８】
0003191241.tif 000010